(57)【要約】【課題】  放送受信装置及び放送受信装置でアプリケーションを実行する方法を提供する。【解決手段】  アプリケーションに放送受信装置のチャンネル番号を割り当てる制御部と、チャンネル番号を保存する保存部と、ユーザ入力信号を受信するユーザ入力部と、双方向通信網を通じてデータの送受信を制御する通信部と、を備え、ユーザ入力信号がチャンネル番号を選択すれば、制御部は、アプリケーションを実行する放送受信装置である。これにより、該放送受信装置を利用して、双方向通信網を利用して提供されるサービスに容易に接近しうる。【選択図】      図１
2008245275.tif 000002
【特許請求の範囲】
【請求項１】
アプリケーションに放送受信装置のチャンネル番号を割り当てる制御部と、
前記チャンネル番号を保存する保存部と、
ユーザ入力信号を受信するユーザ入力部と、
双方向通信網を通じてデータの送受信を制御する通信部と、を備え、
前記制御部は、前記ユーザ入力信号が前記チャンネル番号を選択すれば、前記アプリケーションを実行することを特徴とする放送受信装置。
【請求項２】
前記制御部は、前記アプリケーションの保存位置を表す位置情報に前記チャンネル番号を割り当てて、マッピング情報を生成することを特徴とする請求項１に記載の放送受信装置。
【請求項３】
前記制御部は、前記アプリケーションのタイプ及び前記アプリケーションのタイプによって前記アプリケーションが保存される位置を表す位置情報に前記チャンネル番号を割り当てて、マッピング情報を生成することを特徴とする請求項１に記載の放送受信装置。
【請求項４】
前記通信部は、前記アプリケーションのダウンロードサービスを提供するウェブサーバに接続して、前記ウェブサーバから前記アプリケーションをダウンロードすることを特徴とする請求項１に記載の放送受信装置。
【請求項５】
前記アプリケーションの実行画面を出力する出力部をさらに備えることを特徴とする請求項１に記載の放送受信装置。
【請求項６】
前記制御部は、前記チャンネル番号及び放送情報が提供される画面を構成することを特徴とする請求項１に記載の放送受信装置。
【請求項７】
前記制御部が前記アプリケーションを実行すれば、前記アプリケーションは、前記アプリケーションに含まれた制御情報に基づいて、双方向通信を通じて接続されたサーバからデータをフェッチする動作を行うことを特徴とする請求項１に記載の放送受信装置。
【請求項８】
前記制御部は、前記ユーザ入力信号によって、前記チャンネル番号を割り当てることを特徴とする請求項１に記載の放送受信装置。
【請求項９】
前記アプリケーションに割当てられた前記チャンネル番号は、前記ユーザ入力信号によって削除または変更することを特徴とする請求項１に記載の放送受信装置。
【請求項１０】
リモートコントローラから前記ユーザ入力信号を受信するリモコン受信部をさらに備えることを特徴とする請求項１に記載の放送受信装置。
【請求項１１】
前記アプリケーションは、Ｊａｖａスクリプト、ＨＴＭＬ（Ｈｙｐｅｒ  ＴｅｘｔＭａｒｋｕｐＬａｎｇｕａｇｅ）、ＣＳＳ（Ｃａｓｃａｄｉｎｇ  Ｓｔｙｌｅ  Ｓｈｅｅｔ）、ＤＯＭ（Ｄｏｃｕｍｅｎｔ  Ｏｂｊｅｃｔ  Ｍｏｄｅｌ）、ＡＪＡＸ（Ａｓｙｎｃｈｒｏｎｏｕｓ  Ｊａｖａ  Ｓｃｒｉｐｔ＋ＸＭＬ）、ＰＨＰ（Ｈｙｐｅｒｔｅｘｔ  Ｐｒｅｐｒｏｃｅｓｓｏｒ）、フラッシュ、及びＳＶＧ（Ｓｃａｌａｂｌｅ  Ｖｅｃｔｏｒ  Ｇｒａｐｈｉｃ）のうち少なくとも一つを利用して生成されるアプリケーションであることを特徴とする請求項１に記載の放送受信装置。
【請求項１２】
前記アプリケーションは、データを提供するための画面を構成するための画面構成情報、及びユーザに前記通信部を通じて選択的にコンテンツをダウンロードする制御情報を含むことを特徴とする請求項１に記載の放送受信装置。
【請求項１３】
放送受信装置で動作するアプリケーションを実行する方法において、
アプリケーションに前記放送受信装置のチャンネル番号を割り当てるステップと、
前記チャンネル番号を選択するためのユーザ入力信号が受信されれば、前記アプリケーションを実行するステップと、を含むことを特徴とする方法。
【請求項１４】
前記アプリケーションに前記放送受信装置のチャンネル番号を割り当てるステップは、前記アプリケーションが保存される位置を表す位置情報に、前記チャンネル番号を割り当てるステップを含むことを特徴とする請求項１３に記載の方法。
【請求項１５】
前記アプリケーションに前記放送受信装置のチャンネル番号を割り当てるステップは、前記アプリケーションのタイプ及び前記アプリケーションタイプによって前記アプリケーションが保存される位置を表す位置情報に、前記チャンネル番号を割り当ててマッピング情報を生成するステップを含むことを特徴とする請求項１３に記載の方法。
【請求項１６】
前記アプリケーションは、前記アプリケーションのダウンロードサービスを提供するウェブサーバからダウンロードされることを特徴とする請求項１３に記載の方法。
【請求項１７】
ユーザに前記チャンネル番号及び放送情報を提供するステップをさらに含むことを特徴とする請求項１３に記載の方法。
【請求項１８】
前記アプリケーションを実行するステップは、前記アプリケーションに含まれた制御情報に基づいて、双方向通信を通じて接続されたサーバからデータをフェッチするステップを含むことを特徴とする請求項１３に記載の方法。
【請求項１９】
前記アプリケーションに前記放送受信装置の前記チャンネル番号を割り当てるステップは、前記ユーザ入力信号によって行われることを特徴とする請求項１３に記載の方法。
【請求項２０】
前記ユーザ入力信号によって、前記アプリケーションに割当てられた前記チャンネル番号を削除または変更するステップをさらに含むことを特徴とする請求項１３に記載の方法。
【請求項２１】
放送受信装置で動作するアプリケーションを実行する方法を具現するためのプログラムを記録したコンピュータで読み取り可能な記録媒体において、前記方法は、
アプリケーションに前記放送受信装置のチャンネル番号を割り当てるステップと、
前記チャンネル番号を選択するためのユーザ入力信号が受信されれば、前記アプリケーションを実行するステップと、を含むことを特徴とする記録媒体。
【発明の詳細な説明】
【技術分野】
【０００１】
本発明は、放送受信装置でアプリケーションを実行する方法及びその放送受信装置に係り、さらに詳細には、それぞれのアプリケーションにチャンネル番号を割り当てて放送受信装置でアプリケーションを容易に実行するための方法及びその放送受信装置に関する。
【背景技術】
【０００２】
アナログ放送時代のデータ伝送は、制限された文字伝送に過ぎなかったが、デジタル放送時代には、天気、ニュースなどの情報サービスだけでなく、ｅ−メール、電子番組ガイド（ＥＰＧ：Ｅｌｅｃｔｒｏｎｉｃ  Ｐｒｏｇｒａｍ  Ｇｕｉｄｅｓ）、ＴＶバンキング、電話サービス、インターネット検索などの多様なサービスがＴＶ受像機を通じて提供されている。このように、データ放送は、関連アプリケーションの発達によって多様な新規サービスを提供しつつ発展している。放送受信装置にインターネットが連結されて双方向網を通じた通信で多様なサービスが提供されるが、ユーザは、一般的な放送チャンネルの選択変更などのユーザインターフェース動作に慣れているため、双方向網を通じたサービスを受けるために新たに提供されるユーザインターフェース環境に慣れていない。
【発明の開示】
【発明が解決しようとする課題】
【０００３】
本発明が解決しようとする技術的課題は、前記問題点を解決するためのものであって、アプリケーションにチャンネル番号を割り当てて、放送受信装置でアプリケーションを容易に実行するための方法及び装置を提供することである。
【課題を解決するための手段】
【０００４】
前記課題を解決するための本発明の一特徴による放送受信装置は、少なくとも一つのアプリケーションに対してそれぞれのアプリケーションごとに放送受信装置のチャンネル番号をそれぞれ割り当てる制御部と、それぞれのアプリケーションに割当てられたチャンネル番号を保存する保存部と、ユーザ入力信号を受信するユーザ入力部と、双方向通信網を通じてデータの送受信を制御する通信部と、を備え、制御部は、割当てられたチャンネル番号のうち一つを選択するユーザ入力信号が受信されれば、チャンネル番号に対応するアプリケーションを実行する。
【０００５】
望ましくは、制御部は、それぞれのアプリケーションの保存位置を表す位置情報にチャンネル番号を割り当ててマッピング情報を生成する。
【０００６】
望ましくは、制御部は、それぞれのアプリケーションのタイプ情報及びそれぞれのアプリケーションタイプによる保存位置を表す位置情報にチャンネル番号を割り当ててマッピング情報を生成する。
【０００７】
望ましくは、通信部は、少なくとも一つのアプリケーションのダウンロードサービスを提供するウェブサーバに接続して、ウェブサーバから少なくとも一つのアプリケーションをダウンロードする。
【０００８】
望ましくは、アプリケーションの実行画面を出力する出力部をさらに備える。
【０００９】
望ましくは、制御部は、放送情報と共にアプリケーションに対するチャンネル番号を提供するための画面を構成する。
【００１０】
望ましくは、制御部がアプリケーションを実行すれば、アプリケーションは、アプリケーションに含まれた制御情報に基づいて、双方向通信を通じて接続されたサーバから所定のデータをフェッチする動作を行う。
【００１１】
望ましくは、制御部は、ユーザ入力信号によって少なくとも一つのアプリケーションに対して、それぞれのアプリケーションごとに放送受信装置のチャンネル番号をそれぞれ割り当てる。
【００１２】
望ましくは、制御部は、ユーザ入力信号によってそれぞれのアプリケーションに割当てられたチャンネル番号を削除または変更する。
【００１３】
望ましくは、リモートコントローラから受信される信号を受信するリモコン受信部をさらに備え、制御部は、リモコン受信部を通じて入力される信号を通じて伝えられるチャンネル番号に対応するアプリケーションを実行する。
【００１４】
本発明の他の特徴による放送受信装置で動作するアプリケーションを実行する方法は、少なくとも一つのアプリケーションに対してそれぞれのアプリケーションごとに放送受信装置のチャンネル番号をそれぞれ割り当てるステップと、割当てられたチャンネル番号のうち一つを選択するユーザ入力信号が受信されれば、チャンネル番号に対応するアプリケーションを実行するステップと、を含む。
【発明の効果】
【００１５】
本発明によれば、放送受信装置を利用してアプリケーションを実行するとき、従来のチャンネル選択方法と類似した方法でアプリケーションを実行しうる。したがって、ユーザが放送チャンネルを選択するのと同じ手段を利用して、双方向通信網を利用して提供されるサービスに容易に接近しうる。
【発明を実施するための最良の形態】
【００１６】
以下、添付した図面を参照して、本発明の望ましい実施形態について詳細に説明する。
【００１７】
図１は、本発明の一実施形態による放送受信装置を示す図である。本発明の一実施形態による放送受信装置１００は、制御部１１０、保存部１２０、通信部１３０、放送受信部１４０、ユーザ入力部１５０及びコンテンツ処理部１６０を備える。
【００１８】
本発明の一実施形態による放送受信装置１００は、ＩＰＴＶ（Ｉｎｔｅｒｎｅｔ  Ｐｒｏｔｏｃｏｌ  Ｔｅｌｅｖｉｓｉｏｎ）またはＴＶに連結されて双方向網を通じた通信を提供するセットトップボックスなどの形態で具現される。放送受信装置１００では、少なくとも一つ以上のアプリケーションが保存され、かつ実行される。
【００１９】
本明細書で、アプリケーションは、放送受信装置１００から提供されるデータ、メディアコンテンツを多様な方法や形態で提供するためのアプリケーションを称す。アプリケーションは、双方向通信網を通じて通信部１３０に受信されたり、または放送網を通じて放送受信部１４０に受信される。また、アプリケーションは、放送受信装置１００に本来搭載されていたアプリケーションも含む。
【００２０】
また、本発明の一実施形態によれば、アプリケーションは、Ｊａｖａ（登録商標）スクリプト、ＨＴＭＬ（Ｈｙｐｅｒ  Ｔｅｘｔ  Ｍａｒｋｕｐ  Ｌａｎｇｕａｇｅ）、ＣＳＳ（Ｃａｓｃａｄｉｎｇ  Ｓｔｙｌｅ  Ｓｈｅｅｔ）、ＤＯＭ（Ｄｏｃｕｍｅｎｔ  Ｏｂｊｅｃｔ  Ｍｏｄｅｌ）、ＡＪＡＸ（Ａｓｙｎｃｈｒｏｎｏｕｓ  Ｊａｖａ  Ｓｃｒｉｐｔ＋ＸＭＬ）、ＰＨＰ（Ｈｙｐｅｒｔｅｘｔ  Ｐｒｅｐｒｏｃｅｓｓｏｒ）、フラッシュ、またはＳＶＧ（Ｓｃａｌａｂｌｅ  Ｖｅｃｔｏｒ  Ｇｒａｐｈｉｃ）のようなインターネット技術を少なくとも一つ以上利用して生成されたウェブアプリケーションである。
【００２１】
また、アプリケーションは、データ放送で利用される多様な形態のサービスを提供するために利用されるアプリケーションを含む。例えば、アプリケーションは、ＯＣＡＰ（ＯｐｅｎＣａｂｌｅ  Ａｐｐｌｉｃａｔｉｏｎ  Ｐｌａｔｆｏｒｍ）におけるアプリケーションでありうる。
【００２２】
アプリケーションは、それぞれニュース情報、天気情報、交通情報のようなデータを提供するか、検索エンジンとして機能するか、または動画を提供するオンラインサービスと連動されて実行されるなど、多様な形態を有しうる。例えば、アプリケーションは、ヤフー（Ｙａｈｏｏ）で提供するウィジェット（ｗｉｇｅｔ）プログラムのような形態で提供される。
【００２３】
また、アプリケーションは、データを提供するための画面構成情報、アプリケーションの目的によって双方向通信網を通じて獲得できるコンテンツを選択してダウンロードを受けるための制御情報を含む。
【００２４】
制御部１１０は、放送受信装置１００の構成部間のデータ送受信を制御して、放送受信装置１００の全般を制御する。また、制御部１１０は、少なくとも一つのアプリケーションに対してそれぞれのアプリケーションごとに放送受信装置１００のチャンネル番号をそれぞれ割り当て、割当てられたチャンネル番号を管理する。
【００２５】
通常的に、チャンネル番号は、ユーザによって、または放送受信装置１００に予め設定されている放送チャンネルを選択するために、割当てられた番号を意味する。しかし、本発明の一実施形態によれば、放送チャンネルを選択するために提供されるチャンネル番号は、放送受信装置１００で動作するアプリケーションに割当てられ、アプリケーションは、チャンネル番号によって実行される。
【００２６】
制御部１１０は、自動的にまたはユーザ入力信号によって、少なくとも一つのアプリケーションに対してそれぞれのアプリケーションごとに、放送受信装置１００のチャンネル番号をそれぞれ割り当てる。制御部１１０は、ユーザ入力信号によってそれぞれのアプリケーションに割当てられたチャンネル番号を割当たり、削除または変更しうる。
【００２７】
また、ユーザは、放送受信装置１００自体に備えられたユーザ入力ボタンのようなユーザインターフェース装置であるユーザ入力部１５０を利用するか、またはリモコン（図示せず）にチャンネル番号を入力することによって、チャンネル番号を選択しうる。例えば、ユーザは、ユーザ入力部１５０またはリモコンに備えられたキーパッドに含まれた数字ボタンを利用してチャンネル番号を直接入力するか、またはチャンネルアップボタンまたはチャンネルダウンボタンを利用してチャンネルを選択しうる。
【００２８】
制御部１１０は、入力されるチャンネル番号に対応する信号を解釈して、入力されるチャンネル番号が放送チャンネルにマッピングされていれば、放送受信部１４０を制御してマッピングされているチャンネルにチューニングを行う。また、制御部１１０は、入力されるチャンネル番号が所定のアプリケーションにマッピングされていれば、チャンネル番号にマッピングされているアプリケーションを実行する。
【００２９】
保存部１２０には、放送網または双方向網を通じて受信された各種のメディアコンテンツ、データ及びメディアコンテンツやデータを提供するためのアプリケーションが保存される。アプリケーションは、予め指定された所定の経路によって、またはアプリケーション自体に含まれている経路設定のための情報によって保存部１２０に保存される。
【００３０】
また、保存部１２０には、制御部１１０で割り当てたそれぞれのアプリケーションに割当てられたチャンネル番号が保存される。このために、本発明の一実施形態によれば、制御部１１０は、それぞれのアプリケーションの保存位置を表す位置情報及びチャンネル番号をマッピングして生成されたマッピング情報を保存部１２０に保存する。
【００３１】
通信部１３０は、双方向通信網を通じてデータの送受信を制御する。通信部１３０は、少なくとも一つのアプリケーションのダウンロードサービスを提供するウェブサーバのような外部サーバに接続して、その外部サーバから少なくとも一つのアプリケーションをダウンロードしうる。
【００３２】
放送受信部１４０は、放送信号を受信して処理する。放送受信部１４０は、地上波、衛星またはケーブルのような伝送経路に適するように生成された放送信号をそれぞれ処理するためのモジュールを備えて構成される。
【００３３】
ユーザ入力部１５０は、ユーザ入力信号を受信する。ユーザ入力部１５０は、リモートコントローラから受信される信号を受信するリモコン受信部１５５をさらに備えて構成される。もちろん、リモコン受信部１５５は、ユーザ入力部１５０と別途に構成される。
【００３４】
制御部１１０は、割当てられたチャンネル番号のうち一つを選択するユーザ入力信号が受信されれば、チャンネル番号に対応するアプリケーションを実行する。また、制御部１１０は、リモコン受信部１５５を通じて入力される信号を通じて伝えられるチャンネル番号に対応するアプリケーションを実行する。
【００３５】
コンテンツ処理部１６０は、放送網または双方向網を通じて受信されたメディアコンテンツをデコーディングして出力する。放送受信装置１００は、処理されたコンテンツを提供するか、またはアプリケーションの実行画面を出力する出力部（図示せず）をさらに備えて構成される。
【００３６】
制御部１１０は、放送情報と共にアプリケーションに対するチャンネル番号を提供する画面を構成して提供することによって、ユーザは、一般的に放送プログラムを選択するために、チャンネル番号を入力する方法と同じ方法でアプリケーションを選択して実行しうる。
【００３７】
制御部１１０がアプリケーションを実行すれば、アプリケーションは、アプリケーションに含まれた制御情報に基づいて、双方向通信網を通じて接続された所定のサーバーから所定のデータをフェッチする動作を行える。
【００３８】
図２は、本発明の一実施形態によるチャンネル番号に対応するアプリケーション位置情報を示す図である。図２に示したように、放送受信装置１００で、制御部１１０は、それぞれのウェブアプリケーションの保存位置を表す位置情報にチャンネル番号を割り当ててマッピング情報を生成し、生成されたマッピング情報を管理する。制御部１１０は、マッピング情報を利用してユーザ入力信号を通じて入力されるチャンネル番号に対応するアプリケーションの位置を探し、当該位置に存在するアプリケーションを実行する。
【００３９】
本発明の他の実施形態によれば、それぞれのアプリケーションのタイプ情報及びそれぞれのアプリケーションのタイプによる保存位置を表す位置情報にチャンネル情報を割り当てて、マッピング情報を生成しうる。例えば、図２で、チャンネル番号１０５番に割当てられたデジタルＴＶのＪａｖａ（登録商標）アプリケーションの場合、デジタルＴＶのミドルウェアで設定されたアプリケーションの保存経路が／ｄｔｖ／ａｐｐ／ｊａｖａａｐｐであり、ダウンロードされるＪａｖａ（登録商標）アプリケーションに含まれた情報が／ａｐｐ／ｔｒａｆｆｉｃ  ｊａｖａである場合、Ｊａｖａ（登録商標）アプリケーションは、デジタルＴＶのミドルウェアで設定された特定経路に追加して、実際経路は、／ｄｔｖ／ａｐｐ／ｊａｖａａｐｐ／ａｐｐ／ｔｒａｆｆｉｃ.ｊａｖａとなる。
【００４０】
したがって、チャンネル番号１０５が入力されれば、制御部１１０は、マッピング情報を解釈してＪａｖａ（登録商標）アプリケーションであるか否かを決定し、／ａｐｐ／ｔｒａｆｆｉｃ.ｊａｖａのような相対的な位置情報を保存部１２０から判読し、チャンネル番号１０５に該当するアプリケーションを保存部１２０から検索して実行しうる。
【００４１】
図３は、本発明の一実施形態による放送受信装置でアプリケーションを実行する方法を示すフローチャートである。
【００４２】
ステップＳ３１０で、制御部１１０は、少なくとも一つのアプリケーションに対してそれぞれのアプリケーションごとに、放送受信装置のチャンネル番号をそれぞれ割り当てる。少なくとも一つのアプリケーションに対してそれぞれのアプリケーションごとに、放送受信装置のチャンネル番号をそれぞれ割り当てるステップは、ユーザ入力信号によって行われる。それぞれのアプリケーションに割当てられたチャンネル番号は、ユーザ入力信号によって削除または変更される。少なくとも一つのアプリケーションは、少なくとも一つのアプリケーションのダウンロードサービスを提供するウェブサーバからダウンロードされたアプリケーション、または放送信号を通じて受信されたアプリケーションでありうる。制御部１１０は、ステップＳ３１０を放送受信装置に保存されているウェブアプリケーションの保存位置を表す位置情報にチャンネル番号をマッピングする方法で行える。
【００４３】
ステップＳ３２０で、割当てられたチャンネル番号のうち一つを選択するユーザ入力信号が受信されれば、ステップＳ３３０で、制御部１１０は、チャンネル番号に対応するアプリケーションを実行する。制御部１１０は、マッピング情報のうちで入力されたチャンネル番号にマッピングされたアプリケーションの位置情報を判読し、位置情報に基づいてアプリケーションを検索して実行しうる。
【００４４】
ステップＳ３１０とステップＳ３２０との間に、放送情報と共にアプリケーションに対するチャンネル番号を提供するステップをさらに含み、ユーザにアプリケーションに割当てられたチャンネル情報を提供した後、チャンネル番号をユーザ入力信号として受信しうる。
【００４５】
アプリケーションは、アプリケーションを通じて提供するためのデータを提供するコンテンツ提供サーバに接続して、アプリケーションで定義されたコンテンツを双方向通信網を通じて受信してユーザに提供する動作を行える。
【００４６】
図４は、本発明の一実施形態による放送受信装置でチャンネルを割り当てる方法を示すフローチャートである。本発明の一実施形態によれば、所定のアプリケーションが放送網または通信網を通じて受信されれば、自動的にチャンネル番号が割当てられる。
【００４７】
ステップＳ４１０で、通信部１３０または放送受信部１４０を通じてアプリケーションが受信される。アプリケーションは、双方向通信網を通じてウェブサーバのような外部サーバからダウンロードされることもあり、放送網を通じて受信されることもある。
【００４８】
制御部１１０は、アプリケーションが受信されれば、アプリケーションにチャンネル番号を割り当てるための動作を行う。このために、ステップＳ４２０で、制御部１１０は、アプリケーションに割当てられていないチャンネル番号を検索する。ステップＳ４３０で、制御部１１０は、所定の規則によって決定された所定のチャンネル番号を、受信されたアプリケーションに割り当ててマッピング情報を生成する。例えば、割当てられていない番号のうち最も低いチャンネル番号を、受信されたアプリケーションの保存位置を表す位置情報に割り当ててマッピング情報が生成される。ステップＳ４４０で、生成されたマッピング情報が保存される。
【００４９】
図５Ａないし図５Ｃは、本発明の一実施形態による放送受信装置から提供される画面を示す図である。
【００５０】
図５Ａには、ＥＰＧ情報にアプリケーションについての情報が割当てられたチャンネル番号と共に提供されている画面を示す。アプリケーションを割当てられたチャンネル番号と共に表示することによって、ユーザがアプリケーションを放送プログラムと同じように認識するので、ユーザのアプリケーションに対する接近が容易になる。チャンネル番号１００が割当てられたユーチューブウェブ（Ｙｏｕ
Ｔｕｂｅ Ｗｅｂ）という情報の横には、“ｎｅｔ”という情報が付加されて、残りの放送プログラムと異なり、ウェブアプリケーションであることを表せる。
【００５１】
例えば、ユーザがチャンネル番号９９番を入力した場合には、スカイＨＤチャンネルについての放送情報が、図５Ａに示したように提供され、チャンネル移動ボタンを入力してスカイＨＤチャンネルを通じて受信される放送プログラムを受信しうる。一方、ユーザがチャンネル番号１００を入力すれば、放送受信装置は、チャンネル番号１００にマッピングされているアプリケーションの位置情報を確認し、当該位置に存在するユーチューブウェブアプリケーションを実行する。
【００５２】
図５Ｂは、本発明の一実施形態によるウェブアプリケーションの実行画面を示す図である。ユーザがチャンネル番号を入力してユーチューブウェブアプリケーションを実行すれば、図５Ｂに示したように、ＥＰＧ画面の副画面にウェブアプリケーションが実行されて提供される。ユーチューブウェブアプリケーションが実行されれば、ユーチューブウェブアプリケーションに含まれた制御情報によって、ユーチューブウェブアプリケーションを利用して動画を提供するウェブサーバに接続して、所定の動画を図５Ｂに示したように提供しうる。
【００５３】
図５Ｃは、本発明の他の実施形態によるウェブアプリケーションの実行画面を示す図である。アプリケーションの実行結果は、図５Ｂに示したように、ＥＰＧ提供画面に含まれて提供され、図５Ｃに示したように、全体画面に提供される。図５Ｃのような画面で、ユーザがチャンネル番号を選択することもある。図５Ｃで、ユーザの入力したチャンネル番号が放送チャンネルにマッピングされている場合には、当該放送チャンネルを通じて受信される放送プログラムが提供され、ユーザの入力したチャンネル番号が他のアプリケーションにマッピングされている場合には、他のアプリケーションの実行画面が提供される。それ以外にも、アプリケーション実行画面は、色々な形態に変形される。
【００５４】
本発明は、コンピュータで読み取り可能な記録媒体にコンピュータ可読コードとして具現される。前記プログラムを具現するコード及びコードセグメントは、当該分野のコンピュータプログラマによって容易に推論される。コンピュータで読み取り可能な記録媒体は、コンピュータシステムによって読み取られるデータが保存される全ての種類の記録装置を含む。コンピュータで読み取り可能な記録媒体の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フロッピー（登録商標）ディスク、光ディスク及びフラッシュメモリを含む。また、コンピュータで読み取り可能な記録媒体は、ネットワークに連結されたコンピュータシステムに分散され、分散方式でコンピュータ可読コードとして保存され、かつ実行される。
【００５５】
以上の説明は、本発明の一実施形態に過ぎず、当業者は、本発明の本質的特性から逸脱しない範囲で変形された形態で具現しうる。したがって、本発明の範囲は、前述した実施形態に限定されず、特許請求の範囲に記載された内容と同等な範囲内にある多様な実施形態が含まれるように解釈されねばならない。
【産業上の利用可能性】
【００５６】
本発明は、デジタル放送受信装置関連の技術分野に好適に適用可能である。
【図面の簡単な説明】
【００５７】
【図１】本発明の一実施形態による放送受信装置を示す図である。
【図２】本発明の一実施形態によるチャンネル番号に対応するアプリケーション位置情報を示す図である。
【図３】本発明の一実施形態による放送受信装置でアプリケーションを実行する方法を示すフローチャートである。
【図４】本発明の一実施形態による放送受信装置でチャンネルを割り当てる方法を示すフローチャートである。
【図５Ａ】本発明の一実施形態による放送受信装置で提供される画面を示す図である。
【図５Ｂ】本発明の一実施形態による放送受信装置で提供される画面を示す図である。
【図５Ｃ】本発明の一実施形態による放送受信装置で提供される画面を示す図である。
【符号の説明】
【００５８】
１００  放送受信装置
１１０  制御部
１２０  保存部
１３０  通信部
１４０  放送受信部
１５０  ユーザ入力部
１５５  リモコン受信部
１６０  コンテンツ処理部
【図１】
2008245275.tif 000003
【図２】
2008245275.tif 000004
【図３】
2008245275.tif 000005
【図４】
2008245275.tif 000006
【図５Ａ】
2008245275.tif 000007
【図５Ｂ】
2008245275.tif 000008
【図５Ｃ】
2008245275.tif 000009